(57)【要約】      （修正有）【課題】手製本による無線綴じ製本において、積層紙接合部分に対して、複数の溝を軽い力で等間隔で切ることができ、任意に溝の間隔や溝の数を調整できる溝切り工具を提供する。【解決手段】把手部２と把手部２の延長を放射状に広げ、一定間隔に固定した作用部１から成る工具Ａにおいて、作用部１は複数枚のノコギリ刃３ａを間隔をあけて併設した刃部３を有している。４枚の刃部３の間にスペーサー７を挟み、ノコギリ刃３ａの前後２箇所を間隔保持ボルト４ａと蝶ナット６ａで固定している。刃部３は金ノコのような柔軟かつ反発力のある素材で出来ており、上記４枚のノコギリ刃３ａを収束するように、収束固定ボルト４ｂとナット６ｂで２箇所を固定している。この部分が把手部２となる。把手部２はしっかり握れるようにゴムチューブ８に通しておく。【選択図】図１
0003201540.tif 000002
【実用新案登録請求の範囲】
【請求項１】
横長矩形をなす複数の金属板を並列して末端を束ねた部分を把手部とし、当該把手部の延長を放射状に広げ、一定間隔に固定した作用部からなる工具において、
上記作用部はそれぞれノコギリ刃を有し、
上記ノコギリ刃を使って同時に複数の溝を切ることを可能とする溝切り工具。
【請求項２】
上記複数枚の刃部の間隔を任意の幅に調整することが可能なことを特徴とする、上記請求項１に記載の溝切り工具。
【請求項３】
上記刃部において、刃の取り付け、取り外しを可能とすることを特徴とする、上記請求項１または２の何れかに記載の溝切り工具。
【考案の詳細な説明】
【技術分野】
【０００１】
本考案は、手製本よる無線綴じ製本において、複数の紙片を積層してなる積層紙の一端部を接合して冊子を形成する際に、接合部分の表面積を増すために溝を切る工程で使用する工具に関するものである。
【背景技術】
【０００２】
従来、手製本による無線綴じでは、接合部分の接着にボンドやホットメルトを使用している。通常、接合部接着の前工程として、接合部分に等間隔に溝を切り、接着面積を増やして接着強度を高める作業を行う。この時に使う工具は、金鋸、ヤスリ、ダンボールカッターなど各人各様である。
【０００３】
しかし、厚い積層紙は意外に強固であり、溝切りには相応の力が必要である。また、接合部分の長さが長いほど溝切り回数が多くなり、結果、溝切りに時間がかかる。
【０００４】
さらに、溝自体については均等な幅で溝を切るという正確性が必要な上、使用する接着剤によって最適な間隔の溝を切る必要がある。
【先行技術文献】
【特許文献】
【０００５】
【特許文献１】平１ー２４０２１４、実用新案登録第3132295号
【考案の概要】
【考案が解決しようとする課題】
【０００６】
厚い積層紙であっても軽い力で溝切りができること。
【０００７】
より少ない回数で溝切りができ、一回に切ることができる溝の数を変更することができること。
【０００８】
等間隔の溝が切れること。
【０００９】
溝の間隔を任意の幅に調整できること。
【課題を解決するための手段】
【００１０】
請求項１の考案は、横長矩形をなす複数の金属板を並列して末端を束ねた部分を把手部とし、当該把手部の延長を放射状に広げ、一定間隔に固定した作用部からなる工具において、
上記作用部はノコギリ刃を有し、
上記ノコギリ刃を使って同時に複数の溝を切ることを可能とする溝切り工具とした。
【００１１】
請求項２の考案は、上記複数枚の刃部の間隔を任意の幅に調整することが可能なことを特徴とする、上記請求項１に記載の溝切り工具とした。
【００１２】
請求項３の考案は、上記刃部において、刃の取り付け、取り外しを可能とすることを特徴とする、上記請求項１または２の何れかに記載の溝切り工具とした。
【考案の効果】
【００１３】
請求項１の考案によれば、１回の溝切りで、ノコギリ刃の数と同じ数の溝を切ることができるため、溝切りの回数を減らして作業の効率化を図ることができる。また、複数刃とすることで積層紙接合部との接点が増えるため、一本刃で溝切りをする場合に比べて、はるかに軽い力で溝を切ることができる。
【００１４】
請求項２の考案によれば、刃部と刃部の間にスペーサーを入れることで同一間隔の溝を正確に切ることができる。また、スペーサーを取り替えることで間隔の調整を可能としたため、使用する接着剤に対して最適な間隔の溝を切ることができる。
【００１５】
請求項３の考案によれば、刃部の取り付け、取り外しを可能としたため、刃を増減させることができる。積層紙接合部の長さが短い場合は刃の数を減らし、接合部の長さが長い場合は、刃の数を増やすなど柔軟な使用ができる。
【図面の簡単な説明】
【００１６】
【図１】この考案の実施の形態例の溝切り工具の斜視図である。
【図２】この考案の実施の形態例の溝切り工具の上面図である。
【図３】この考案の実施の形態例の溝切り工具の刃の増減およびスペーサーの取り替え手段の分解斜視図である。
【図４】この考案の実施の形態例の溝切り工具の使用イメージの斜視図である。
【考案を実施するための形態】
【００１７】
以下、この考案の実施の形態の溝切り工具（以下、「本工具」と言う。）を図１にもとづいて説明する。図１に示すように、本工具Ａは把手部２と当該把手部２の延長を放射状に広げ、一定間隔に固定した作用部１から成る。
【００１８】
上記作用部１は複数枚のノコギリ刃を間隔をあけて併設した刃部３を有している。
具体的には、図２に示すように、４枚の刃部３の間にスペーサー７を挟み、ノコギリ刃３ａの前後２箇所を間隔保持ボルト４ａと蝶ナット６ａで固定している。
【００１９】
刃部３は金ノコのような柔軟かつ反発力のある素材で出来ており、上記４枚のノコギリ刃を収束するように、収束固定ボルト４ｂとナット６ｂで２箇所を固定している。この部分が把手部２となる。把手部２はしっかり握れるようにゴムチューブ８に通しておく。
【００２０】
刃部３の間隔を調整する場合には、図３に示すように、ノコギリ刃３ａの前後２箇所について、間隔保持ボルト４ａから蝶ナット６ａとワッシャー５を外し、スペーサー７を交換することで可能となる。
【００２１】
刃部３の枚数を増減させるには、上記手順に加え、２箇所の収束固定ボルト４ｂを外し、把手部のゴムチューブ８から刃部を引き抜いてから、刃を増減させ、逆の手順で戻せばよい。
【実施例】
【００２２】
この考案の実施例を図４を使って説明する。
【００２３】
複数の紙片を積層してなる積層紙９に対して直角に本工具のノコギリ刃３ａをあて、前後に動かすことで溝１０を形成する。
【符号の説明】
【００２４】
Ａ    溝切リ工具
１    作用部
２    把手部
３    刃部
３ａ  ノコギリ刃
４    ボルト
４ａ  間隔保持ボルト
４ｂ  収束固定ボルト
５    ワッシャー
６    ナット
６ａ  蝶ナット
６ｂ  六角ナット
７    スペーサー
８    ゴムチューブ
９    積層紙
１０  溝
【図１】
0003201540.tif 000003
【図２】
0003201540.tif 000004
【図３】
0003201540.tif 000005
【図４】
0003201540.tif 000006
【手続補正書】
【提出日】平成27年6月12日(2015.6.12)
【手続補正１】
【補正対象書類名】実用新案登録請求の範囲
【補正対象項目名】全文
【補正方法】変更
【補正の内容】
【実用新案登録請求の範囲】
【請求項１】
特製の薄ノコ刃または市販されている金ノコ刃を複数枚重ねあわせて、末端と中心に貫通する穴を開け、ボルトで固定した部分を把手部とし、把手部の延長を放射状に広げて、先端と把手部脇に貫通穴を開け、刃と刃の間にスペーサーを挟んでボルトを通して固定した複数刃の溝切り工具。
【請求項２】
請求項１のスペーサーは中空の円筒であり、ノコギリ刃を貫通する穴に通したボルトに串刺しにして固定されていることを特徴とする、請求項１に記載の溝切り工具。
【請求項３】
ノコギリ刃は刃を貫通する４箇所の穴にボルトを通して一体となっていることを特徴とする、上記請求項１または２の何れかに記載の溝切り工具。
【手続補正書】
【提出日】平成27年10月3日(2015.10.3)
【手続補正１】
【補正対象書類名】実用新案登録請求の範囲
【補正対象項目名】全文
【補正方法】変更
【補正の内容】
【実用新案登録請求の範囲】
【請求項１】
ノコギリ刃を複数枚重ねあわせて、末端と中心に貫通する穴を開け、ボルトで固定した部分を把手部とし、把手部の延長を放射状に広げて、先端と把手部脇に貫通穴を開け、刃と刃の間にスペーサーを挟んでボルトを通して固定した複数刃の溝切り工具。
【請求項２】
請求項１のスペーサーは中空の円筒であり、ノコギリ刃を貫通する穴に通したボルトに串刺しにして固定されていることを特徴とする、請求項１に記載の溝切り工具。
【請求項３】
ノコギリ刃は刃を貫通する４箇所の穴にボルトを通して一体となっていることを特徴とする、上記請求項１または２の何れかに記載の溝切り工具。